(57)【要約】  投与量リセット機構を備える注入装置であって、装置は、注入される薬を含むコンテナを受容する、ハウジング及びコンテナハウジングと、ハウジング内に配置され、かつ、ねじ状ピストンロッドの軸方向移動を可能にするランナーと共同で動作するねじ状ピストンロッドと、ラチェットと、ナットと、ハウジング内で軸方向に固定されナットのネジ山に適合するネジ山を有するねじ状ピストンロッドとを含むドライブユニットと、ハウジングに機能的に接続され、ナットに機能的に接続されたラチェットにクラッチスリーブを用いて接続され、表示要素と共同で動作する投与量調節要素であって、表示要素はその最初の位置に固定の開始位置を有する、投与量調節要素と、投与量調節要素の動作でスプリング手段にエネルギーがたまるように、ハウジングと投与量調節要素とに接続されたスプリング手段と、リセットクラッチと、ハウジングに対して移動可能で、ナットとねじ状ピストンロッドをリリースすることによってスプリング手段にたまったエネルギーをリリースするように設計されたトリガと、を備え、リセットクラッチは、投与量調節要素を用いて動かされ、軸方向にスライドする成形された接続要素として形成され、さらに、リセットクラッチは、ドライブユニットと機能的に接続され、ドライブユニットは、リセットクラッチがリリースされる際に、その後自動的に固定の開始位置をとる表示要素とスプリング手段との接続を維持するスプリング手段から接続が断たれるように、スプリング手段と共同で動作する、注入装置である。
2015506779.tif 000002
【特許請求の範囲】
【請求項１】
投与量リセット機構を備える注入装置であって、前記装置は、
注入される薬を含むコンテナを受容する、ハウジング及びコンテナハウジングと、
前記ハウジング内に配置され、かつ、ねじ状ピストンロッドの軸方向移動を可能にするランナーと共同で動作する前記ねじ状ピストンロッドと、
ラチェットと、ナットと、前記ハウジング内で軸方向に固定され前記ナットのネジ山に適合するネジ山を有する前記ねじ状ピストンロッドとを含むドライブユニットと、
前記ハウジングに機能的に接続され、前記ナットに機能的に接続された前記ラチェットにクラッチスリーブを用いて接続され、表示要素と共同で動作する投与量調節要素であって、前記表示要素はその最初の位置に固定の開始位置を有する、投与量調節要素と、
前記投与量調節要素の動作でスプリング手段にエネルギーがたまるように、前記ハウジングと前記投与量調節要素とに接続された前記スプリング手段と、
リセットクラッチと、
前記ハウジングに対して移動可能で、前記ナットと前記ねじ状ピストンロッドをリリースすることによって前記スプリング手段にたまったエネルギーをリリースするように設計されたトリガと、
を備え、
前記リセットクラッチは、前記投与量調節要素を用いて動かされ、軸方向にスライドする成形された接続要素として形成され、
さらに、当該リセットクラッチは、前記ドライブユニットと機能的に接続され、
前記ドライブユニットは、当該リセットクラッチがリリースされる際に、その後自動的に前記固定の開始位置をとる前記表示要素と前記スプリング手段との接続を維持する前記スプリング手段から接続が断たれるように、前記スプリング手段と共同で動作する、
注入装置。
【請求項２】
前記リセットクラッチは、前記ラチェットを、前記スプリング手段と前記表示要素とに接続されている接続スリーブに取り外し可能に接続する、
請求項１に記載の注入装置。
【請求項３】
前記リセットクラッチは、投与量調節方向の反対の方向への前記投与量調節要素の動きがもたらす前記クラッチスリーブの軸方向の動きによって軸方向に移動させられる、
請求項１又は２に記載の注入装置。
【請求項４】
前記リセットクラッチは、前記投与量調節方向の反対の方向への前記投与量調節要素の動きで前記クラッチスリーブの軸方向移動と前記リセットクラッチの軸方向移動が生じるように、軸カム（２０，２１）の組と共同で動作する、
請求項１から３のいずれか１項に記載の注入装置。
【請求項５】
第１の前記軸カム（２０）は、ベアリングの支持表面によって軸方向に固定された前記ラチェットと接合され、
第２の前記軸カム（２１）は、軸方向にスライド可能な前記クラッチスリーブに接合されている、
請求項４に記載の注入装置。
【請求項６】
前記ベアリングは、軸方向に固定され、前記ハウジング内で、リング突起と長手方向の複数の突起とによって回転しないようにされる、
請求項５に記載の注入装置。
【請求項７】
前記ラチェットと前記支持表面との間に、前記ナットに接続されたラチェット歯車が配置される、
請求項５又は６に記載の注入装置。
【請求項８】
前記ナットと前記ラチェットとは、ベアリングの支持表面の反対の面によって軸方向に固定されている、
請求項１から７のいずれか１項に記載の注入装置。
【請求項９】
前記ラチェットは、前記リセットクラッチにスライド可能に接続される複数の接続突起を有する、
請求項１から８のいずれか１項に記載の注入装置。
【請求項１０】
前記リセットクラッチはスプラインリングとして形成される、
請求項１から９のいずれか１項に記載の注入装置。
【請求項１１】
前記リセットクラッチは、軸カム（２１）と接触して前記クラッチスリーブにスライド可能に配置される、
請求項１から１０のいずれか１項に記載の注入装置。
【請求項１２】
前記リセットクラッチと接続スリーブの間に、リセットスプリングが配置され、前記スプリングは、当該リセットクラッチを前記ラチェットに押圧し、それを複数の接続突起に係合された状態に保持する、
請求項２から１１のいずれか１項に記載の注入装置。
【請求項１３】
前記投与量調節要素は、ノブとして形成され、前記ノブは、前記クラッチスリーブの回転及び軸方向スライド動作を可能にするために前記投与量調節方向とその反対方向とに回転されることが可能なように、前記ハウジング上に回転可能に結合される、
請求項１から１２のいずれか１項に記載の注入装置。
【請求項１４】
前記投与量調節要素は、その変動のない開始位置にある前記表示要素に対して、操作範囲でいかなる位置もとるように設計される、
請求項１３に記載の注入装置。
【請求項１５】
前記投与量調節要素は、前記投与量調節方向と反対の方向に一回転未満を行い、前記回転は、前記ねじ状ピストンロッドのいかなる軸方向の動きを生じさせることなく、前記表示要素を、変動のない前記開始位置にセットする、
請求項１から１４のいずれか１項に記載の注入装置。
【請求項１６】
前記投与量調節要素は、９０度未満の角度範囲で回転運動を行う、
請求項１５に記載の注入装置。
【請求項１７】
前記スプリング手段は、トーションバネとして形成される、
請求項１から１６のいずれか１項に記載の注入装置。
【請求項１８】
ノブとして形成された前記投与量調節要素は、リング突起によって、前記ハウジングに対して前記軸方向のスライド移動を行わないようにされ、それは、前記投与量調節要素が前記投与量調節方向の反対の前記方向に動かされる際に前記投与量調節要素に対して当該クラッチスリーブの軸方向のスライド移動を可能にするために、軸方向あそびが残された状態で前記クラッチスリーブに係合される、
請求項１３から１７のいずれか１項に記載の注入装置。
【請求項１９】
前記投与量調節要素に対する前記クラッチスリーブの前記軸方向のスライド移動を可能にする前記軸方向あそびは、複数の軸カム（２０，２１）の相対的な回転によって生じる最大の軸方向移動より小さい、
請求項１８に記載の注入装置。
【請求項２０】
前記投与量調節要素に対する前記クラッチスリーブの前記軸方向のスライド移動を可能にする前記軸方向あそびは、前記リセットクラッチを複数の接続突起とのその係合からリリースする前記リセットクラッチの最小の軸方向移動より大きい、
請求項１８又は１９に記載の注入装置。
【発明の詳細な説明】
【技術分野】
【０００１】
この発明は、インスリンの投与にとって好ましい投与量リセット機構を有する注入装置に関する。装置は、最後に設定された投与量をリセットして他の投与量を設定する可能性がある場合に、交換可能なコンテナからの薬の設定された部分の複数の投与に適用可能である。
【０００２】
ＷＯ  ２０１００８９４１７によると、注入装置が、交換可能なコンテナからの薬の設定された部分の複数の投与のために設計される。投与量調節要素が、ラチェットクラッチを用いて、この装置内で駆動装置とともに共同で動作する。特に、この装置は、円筒状表示要素、ノブ、クラッチスリーブ、トーションバネ、スプリングブロッケード、ねじ状ピストンロッド、ラチェット、ナット、ねじ状ピストンロッドブロッケード、トリガ、及び全ての機構のためのハウジングと接続されたコントロールスリーブを含む。既知の解決策は、設定された投与量の全量リセットのための機構を開示していない。
【０００３】
ＷＯ  ９３０７９２２によると、注入装置は、投与量調節機構とピストン駆動手段との間の一方向クラッチを含み、このラッチが、投与量をセットする間に投与量をピストン駆動要素の切り換え動作へ移す際、回転運動を変更するいかなる可能性もブロックする。前に設定されていた投与量をリセットするために、一方向クラッチが、上昇フォークを用いて生じたその軸方向の動きによってそれ自身の接続を断つ。しかし、投与量をリセットするために、ユーザにとって扱いにくく複雑な操作が実施される必要があり、これは、装置全体の端にあるノブを手動で押圧するとともに装置の一部においてリセット機構を同時に作動させることを含む。
【０００４】
ＥＰ１３５１７３２では、ハウジングと、駆動ユニットと、スプリング手段と、ハウジング内に配置された投与量設定ユニットと、ハウジングに対して移動可能なトリガとを含むリセット機構を備える自動注入装置が記載されている。この解決策では、投与量調節方向に対して反対方向に投与量調節要素を動かすことで、投与量を選択的に修正する可能性がある。全ての投与量がリセットされる必要がある場合、ノブとして作成された投与量調節要素は、ゼロの位置になるまで手動で繰り返し回転させられる。
【０００５】
ＥＰ１９５４３３７では、自動注入装置が、ハウジングに回転可能に結合されたノブとして形成された投与量調節要素と、ハウジングに対してスライド可能に配置され、ねじ状ピストンロッドを駆動するナットを回転させるためにスプリングにたまったエネルギーをリリースするトリガとを含むことが記載されている。  この装置は、ねじ状ピストンロッドの軸方向の動きを生じさせることなくスプリングにたまったエネルギーをリリースする機構も有し、この機構は、ハウジングに接続された追加のボタンとして作成され、このボタンは、ハウジングに対して軸方向に移動可能である。この解決策において、投与量は、ボタンを押圧し、同時に投与量調節方向の反対方向にノブを回転させることで修正されることができる。全ての投与量をリセットする必要がある場合には、上記の動作は、ゼロの位置になるまで繰り返されるべきである。
【０００６】
この既知の解決策は、ノブとして形成された投与量調節要素を投与量調節方向とは逆の方向に回転させることによって、前に設定された投与量の段階的な低減も行える。この投与量リセット方法を用いることによって、前に設定されていた投与量の全量リセットが、投与量を設定するときに用いられるのと同数のフル回転でノブを手動によって回転させることにより実施されるだろう。
【０００７】
ＷＯ  ２０１１０２５４４８によると、注入装置は投与量リセット機構を含み、この装置は、注入される薬を含むコンテナに接続されるように設計されたハウジングを備えることもまた知られている。この装置はまた、投与量調節機構を有し、投与量調節機構は、それが一方向に回転されるときに投与量を設定し、反対方向に回転されるときに投与量をリセットするために、ハウジングに回転可能に接続されている。ノブを回転させて投与量をリセットするために、リセット要素の他の部分が、駆動ユニット内で突起からその解放を行うスプリングアーム上に位置する成形された突起を押圧すべきである。しかし同時に、リセット中にリセット要素の第２の部分がスプリング要素にたまったエネルギーによって移動させられ、スプリングアーム上に位置する形成された突起に作用する力が、それをもう一度駆動ユニットの突起に係合させる。そのため、所定の角度での投与量調節機構の一回の回転によって、前に設定されていた投与量の全てのリセットを自動で実行することは可能ではない。さらに、この既知の解決策の構成は、デフォルメーションに影響される遅く繊細なリセット要素の利用を強要する。
【０００８】
本発明の目的は、スプリング要素にたまったエネルギーを用いてその最初の位置に表示要素を自動でセットする単純動作のリセット機構を有する注入装置であって、投与量調節方向とは逆の方向への投与量調節要素の単一の限定された動きで生じる、前に設定されていた投与量の完全自動リセット中に、投与量調節要素を動かないようにするために、ねじ状ピストンロッドの軸方向の動きを生じさせることなく、投与量調節要素によって上記エネルギーがリリースされる注入装置を構成することである。
【０００９】
本発明の追加の目的は、装置の作動時に、粉砕、デフォルメーション、又は摩滅にさらされる、投与量のセット及びリセットの両方に関与する全ての小さく柔軟な要素を除去し、それによって、装置の故障率を低減して、投与する薬の投薬の正確性を増すことである。
【００１０】
発明の他の目的は、完全なリセットを実行するために必要な時間の低減と同時に、リセット中の装置の操作を簡素化することである。
【００１１】
発明の他の目的は、薬コンテナに伝達され、リセット操作中に薬の望ましくない漏れを生じさせるストレスを、ドライブユニットに生じさせないようにするために、スプリング要素にエネルギーがたまった後にスプリング要素からドライブユニットを独立させ、これによって、投与量調節要素の限定的な単一の動きで完全なリセットを行う間、コンテナからの制御不能の薬の流出をなくすことである。
【００１２】
本発明の装置は、独立項で規定される。特に、本発明の解決策は以下に特徴付けられる。リセットクラッチが、軸方向にスライド可能に成形された接続要素として形成され、投与量調節要素を用いて動かされる。さらに、リセットクラッチがドライブユニットと機能的に接続され、ドライブユニットは、リセットクラッチのリリース後に、ドライブユニットが、その後その変動のない開始位置に自動でセットされる表示要素とスプリング手段との接続を保持した状態で、スプリング手段からの接続が断たれるように、スプリング手段と共同で動作するよう設計されている。
【００１３】
好ましくは、リセットクラッチは、ラチェットを、スプリング手段及び表示要素に接続された接続スリーブと取り外し可能に連結する。
【００１４】
有利には、リセットクラッチは、クラッチスリーブの軸方向の動きで軸方向にスライドされ、当該動きは、投与量調節方向の反対の方向への投与量調節要素の動きに関連する。
【００１５】
有利には、リセットクラッチは、投与量調節方向の反対の方向に動く投与量調節要素が、リセットクラッチの軸方向移動とともにクラッチスリーブの軸方向移動も引き起こすように、軸カムの組と共同で動作する。
【００１６】
有利には、第１の軸カムは、ベアリングの支持表面によって、軸方向に固定されたラチェットと接合され、第２の軸カムが、軸方向にスライド可能なクラッチスリーブと接合される。
【００１７】
有利には、ベアリングは、軸方向に固定され、リング突起と長手方向の突起によって、ハウジング内で回転しないようにされる。
【００１８】
有利には、ナットに接続されたラチェット歯車は、ラチェットとベアリングの支持表面との間に配置される。
【００１９】
有利には、ナットとラチェットは、ベアリングの支持表面の反対の面によって軸方向に固定される。
【００２０】
有利には、ラチェットは、リセットクラッチにスライド可能に接続されるために複数の接続突起を有する。
【００２１】
有利には、リセットクラッチはスプラインリングとして形成される。
【００２２】
有利には、リセットクラッチは、軸カムと接触してクラッチスリーブ上にスライド可能にセットされる。
【００２３】
有利には、リセットクラッチと接続スリーブの間に、リセットスプリングが配置され、リセットスプリングは、このリセットクラッチをラチェットまで下方に押圧して、それを接続突起とかみ合った状態に維持する。
【００２４】
有利には、投与量調節方向と反対方向とに回転することができるように、ハウジングに回転可能に接続し、クラッチスリーブの回転及びスライド移動を可能にするノブとして、投与量調節要素が形成される。
【００２５】
有利には、投与量調節要素は、固定の開始位置を有する表示要素に対して操作範囲内でいかなる位置もとることができる。
【００２６】
有利には、ねじ状ピストンロッドの軸方向の動きを引き起こすことなく、その開始位置での表示要素のセットを確実にするために、投与量調節要素は、投与量調節方向の反対の方向へ一回のフル回転未満で回る。より有利には、投与量調節要素は、９０度未満の角度で回転動作をする。
【００２７】
有利には、スプリング手段は、トーションバネとして形成される。
【００２８】
有利には、ノブとして形成された投与量調節要素は、リング突起によって、ハウジングに対するその軸方向の動きをしないようにされ、それは、投与量調節要素が投与量調節方向とは反対の方向に動いているときに投与量調節要素に対してクラッチスリーブが軸方向にスライド移動できるようにする軸方向のあそびを有するクラッチスリーブと結合される。
【００２９】
有利には、投与量調節要素に対してクラッチスリーブが軸方向のスライド移動をできるようにする軸方向のあそびは、軸カムの相対的な回転によって引き起こされる最大の軸方向移動量より小さく、かつ、それは、接続突起との係合からのリセットクラッチのリリースを可能にするリセットクラッチの最小移動量より大きい。
【００３０】
ドライブユニットと成形されたクラッチ要素のスプリング手段との間で軸方向にスライド可能な成形された接続要素の形態でリセットクラッチを用いることによって、表示要素とスプリング手段の接続を維持した状態でスプリング手段からドライブユニットの接続を断つことが可能であり、これにより、スプリング手段にたまっていたがリリースされたエネルギーは、ねじ状ピストンロッドの軸方向のいかなる動きも引き起こすことなく、すなわち、セットされた薬の投与量を与えることなく、その最初の位置に表示要素が戻る動きを自動的に引き起こす。
【００３１】
発明の解決策は、スプリング手段にたまったエネルギーをリリースすることによって、かつ、表示要素がそのゼロの最初の位置に戻るようにすることによって、前にセットされた投与量の簡単で迅速なリセットを可能にする。当該動作は、徐々に投与量を減らす一連の操作によって投与量を選択的に修正する必要がなく、投与量セット時の方向と反対の方向への投与量調節要素の一回の動きによって開始される。他のものの中で、薬の損失無しにコンテナを迅速に変更することが可能である。この迅速で正確な自動リセットは、薬を含む複数の選択されたコンテナをしばしば変更する必要があるような例えばインスリン療法でよく生じる、１つの装置が異なる複数種類の特定の薬の投与に用いられる場合に特に有用である。
【００３２】
本発明の装置で投与量をリセットするとき追加のボタンを探して作動させる必要がないため、投与量調節要素の戻り動作によって実行される完全で自動のリセットは、この操作を、迅速で簡単な方法で、特に、手先又は視覚の能力が低減した人間によって実行できるようにする。
【００３３】
軸カムの組によるリセットクラッチの軸方向の動きの実施は、前に設定されていた投与量に関わらず、投与量調節方向の反対の方向に固定値で投与量調節要素を回転させることによって、セットされた投与量のリセットを実行することを可能にする。投与量調節要素を用いたリセット動作のユーザによる開始後は、静止した状態を維持する。ナットとラチェットが、ベアリングの支持表面の反対の面上に軸方向にセットされた場合には、リセット中は、ラチェットをラチェット歯車へ押圧する力は増加されることができる。そのように固定されたラチェット歯車は、ナットを固定し、それがピストンロッドの振動を減少させる。ドライブユニットのこの追加の固定のおかげで、全量リセット実行時にコンテナから薬が制御不能に流出することを低減させる機構の他の部分からのいかなる障害にも影響されにくくなる。
【００３４】
発明の目的は、図の実施形態に示される。
【図面の簡単な説明】
【００３５】
【図１】注入装置の横断面を示す。
【図２】コンテナハウジングとキャップを有さず、ブロックされたねじ状ピストンロッドガイドを有する装置の拡大横断面である。
【図３ａ】図２でマーク付けされたＡ−Ａラインに沿ったナットを通る断面である。
【図３ｂ】図２でマーク付けされたＢ−Ｂラインに沿ったラチェット歯車を通る断面である。
【図３ｃ】図２でマーク付けされたＣ−Ｃラインに沿ったリセットクラッチを通る断面である。
【図３ｄ】図２でマーク付けされたＤ−Ｄラインに沿ったプリングナットを通る断面である。
【図３ｅ】図２でマーク付けされたＥ−Ｅラインに沿った表示要素の一部を通る断面である。
【図４ａ】コンテナの組み立てたハウジングとともにねじ状ピストンロッドのためのガイドを示す、ハウジングを通る部分的な長手方向断面図である。
【図４ｂ】ねじって外したコンテナのハウジングとともに、ねじ状ピストンロッドのためのガイドを示す、ハウジングを通る部分的な長手方向断面図である。
【図５ａ】トリガによってブロックされたナットを示す、ハウジングを通る部分的な長手方向断面図である。
【図５ｂ】トリガによってアンブロックされたナットを示す、ハウジングを通る部分的な長手方向断面図である。
【図６】ベアリングによって軸方向かつ放射状に配置された要素の分解斜視図である。
【図７ａ】接続されたリセットクラッチとともに、ベアリングを通る横断面の詳細である。
【図７ｂ】接続が断たれたリセットクラッチと、ベアリングを通る横断面の詳細である。
【図８ａ】リセットクラッチと共同で動作する要素の分解斜視図である。
【図８ｂ】他の側から示された、図８ａのようなリセットクラッチと共同で動作する要素の分解斜視図である。
【図９ａ】スプリング手段及び表示要素と共同で動作する要素の部分的な長手方向断面図である。
【図９ｂ】図９ａに示された要素の分解斜視図である。
【図１０】発明の装置全体の分解斜視図を示す。
【００３６】
図１に示されたように、コンテナ３のハウジングに配されたカバーキャップ２が加わった機構のハウジング１は、ペンのような書くための装置のように見える。カバーキャップ２により保護されたコンテナ３のハウジングは、注入される薬（不図示）を含む交換可能なコンテナを受け入れるようになっており、それは、ハウジング１の一方側に固定される。注入の薬の投与量調節要素４は、カバーキャップ２の反対側に配置され、投与量調節要素は、ハウジング１と回転可能に接続するノブとして形成される。
【００３７】
図２の拡大図に示されるように、投与量調節要素４は、クラッチスリーブ５によって、ラチェット歯車７と共同で動作するラチェット６と接続され、投与量セット中に、それは、ラチェット歯車７の連続した歯と共同で動作する。ラチェット歯車７は、ハウジング１の軸と同軸上に動かないように配置されたスライドベアリング９と回転可能に結合されたナット８にかたく接続されている。ねじ状ナット８と共同で動作するねじ状ピストンロッド１０は、クラッチスリーブ５内にスライド可能に配置される。ランナー１１に形成された開口とスライド可能に共同で動作するねじ状ピストンロッド１０の非円形断面が、回転運動をブロックし、クラッチスリーブ５内でねじ状ピストンロッド１０を長手方向に軸方向で移動させる。ラチェット歯車７とナット８は、スライドベアリング９の支持表面９ａによって軸方向に配置され、支持表面は、ラチェット歯車７とナット８を分離し、これによって、軸方向の力が、ラチェット歯車７とナット８の間に伝達されず、回転力のみが伝達される。
【００３８】
ラチェット６、ナット８、及びねじ状ピストンロッド１０を含むドライブユニットは、軸方向スライドリセットクラッチ１３によって接続スリーブ１２と分離可能に係合され、接続スリーブ１２は、ハウジング１内に軸方向に配置され、それは、駆動バレル１４とプリングナット１５によって、円筒状表示要素１６と、トーションバネとして形成されたスプリング手段１７とに接続される。リセットクラッチ１３がリセットスプリング１８の押圧に対して軸方向に移動するとき、ナット８とラチェット６がスライドベアリングの支持表面９ａで分離されるため、ねじ状ピストンロッド１０の軸方向の動きは引き起こされず、さらに、ナット８の回転運動はトリガ１９によってブロックされる。投与量調節要素４が時計回りに回転されるとき、このスプリング手段１７は、セットされた薬の投与量を注入するのに必要なエネルギーをそれにためるためにねじられる。
【００３９】
クラッチスリーブ５は、軸カム２０、２１の組によって、リセットクラッチ１３と係合された接続突起６ａを有するラチェット６と接続され、リセットクラッチ１３の複数の外歯が、接続スリーブ１２の複数の内歯と係合される。リセットクラッチ１３は、有利には、その外表面上に形成された複数の歯を有するスプラインリングとして形成され、一方では、接続突起６ａと接続スリーブ１２は、適合する成形がされた複数のインナースプラインを有する。
【００４０】
スプリング手段１７は、トーションバネのその好ましい解決策において、ブロッキングスリーブ２２によってハウジング１に接続される複数の端の1つと、接続スリーブ１２に接続されるその第２の端とを有する。ノブとして形成された投与量調節要素４を時計回りに回転させるとき、スプリング手段はねじられ、セットされた薬の投与量を注入するために又は自動リセットを実行するために必要なエネルギーがスプリング手段２１に集められる。
【００４１】
限定された角度範囲での投与量調節要素 ４の反時計回りの回転運動は、ラチェット６に対するクラッチスリーブ５の角度の変化を引き起こし、軸カム２０、２１の適切な回転を引き起こし、結果として、あそびｘをカバーするクラッチスリーブ５の、投与量調節要素４に対する軸方向の動きを引き起こす。この軸方向の動きは、リセットクラッチ１３に移転され、リセットクラッチがラチェット６の接続突起６ａから完全に切り離されるまで、リセットクラッチ１３を接続スリーブ１２内に移動させる。このような分離をして初めて完全な自動リセットが実行され、その最初の位置への円筒状表示要素１６の戻り動作に接続され、スプリング手段１７にたまったエネルギーによって押しつけられ、当該自動リセットは、投与量調節要素４のいかなる回転も引き起こさない。リセット後、リセット時と反対の方向において同じ角度で投与量調節要素４が回転すると、リセットスプリング１８による押圧によって、リセットクラッチ１３とラチェット６が再接続される。このときラチェット６と投与量調節要素４は、表示要素１６に対してリセット前のセット値に依存する位置に配置される。このため、表示要素１６の最初の位置は、投与量設定位置の一定で繰り返し可能な位置に依存しないが、それは、投与量調節要素４が作動する範囲から任意の値を採用できる。
【００４２】
ノブとして形成された投与量調節要素４は、ハウジング１の端に回転可能に結合され、それは、リング突起４ａによって、ハウジングに対して軸方向に移動しないようにされる。クラッチスリーブ５のアウタースプライン端部は、軸方向あそびｘを有する、投与量調節要素４のインナースプラインにスライド可能に配置される。軸方向あそびｘは、クラッチスリーブ５の軸方向移動の可能性を限定し、結果として、複数の軸カムが次から次に急上昇（ｊｕｍｐ）できるそれらの最大軸方向移動をできない程度に軸カム２０，２１の相対的な回転を限定することが、適切に選択された軸方向あそびｘによって可能である。同時に、この軸方向あそびｘは、接続突起６ａとの係合からリセットクラッチ１３をリリースすることを可能にする、リセットクラッチ１３の最小移動量より大きいべきである。
【００４３】
トリガ１９は、ハウジング１の側面にそって配置され、それは、ナット８をブロック及びアンブロックすることができる。接続されていない場合、トリガ１９は、スプリング２３によってナット８に押圧され、そのおかげで、それがナットの回転をブロックする。トリガは、スプリング２３によって及ぼされる押圧力に対してそれを軸方向にスライドさせることによって、アンブロックされる。さらに、ナット８はアンブロックされ、スプリング手段１７に前にたまったエネルギーをリリースし、ねじ状ピストンロッド１０をスライドさせるようにこのエネルギーを使い、円筒状表示要素１６の複雑な移動を引き起こす。
【００４４】
コンテナハウジング３が固定スリーブ２４に固定されているとき、ランナー１１は、回転されないように、ブロッケード２５へ押圧される。一方、コンテナハウジング３を回して外すとき、ねじ状ピストンロッド１０をその最初の位置にまで押圧することを可能にし、新たな薬コンテナを挿入することを可能にするランナー１１から、ブロッケード２５の接続を断つことを、軸方向に動作するスプリング２６が引き起こす。ねじ状ピストンロッド１０は、ナット８と、非セルフロッキングねじ山と、それとに用いる結果、押圧されてよい。
【００４５】
図３ａにおいて、ブロックされた位置でのナット８，ブロッケード２５、及びトリガ１９を通る断面が示される。この図から分かるように、ブロッケード２５は、ハウジング１に対してそれを回転しないようにする突起２５ａを有し、トリガ１９は、ナット８の複数の歯と係合する複数の歯をその内側に有するブロッキングリング１９ａを有する。
【００４６】
図３ｂにおいて、ナット８に接続されたラチェット歯車７を通る断面が示される。ベアリング９に軸方向に設置されたラチェット歯車７は、その周囲で、ラチェット６の３つの弾力性のアーチ形アーム６ｂと係合され、一方、ベアリング９を回転させないようにする長手方向の突起９ｂは、ハウジング１の複数の適合する長手方向溝に固定される。
【００４７】
図３ｃにおいて、接続スリーブ１２に係合しているリセットクラッチ１３の断面が示される。リセットクラッチは、クラッチスリーブ５上の歯のあるホイールスライドの形を有する成形されたクラッチ要素として形成される。
【００４８】
図３ｄにおいて、ハウジング１の複数の長手方向の溝に配置された複数の突起１５ａを有するプリングナット１５が示され、プリングナット１５は、駆動バレル１４の外側のネジ山と共同で動作する。
【００４９】
図３ｅにおいて、駆動バレル１４の長手方向の突起と係合された円筒状表示要素１６の一部を通る断面が示される。図１，図２，及び図３ｅにおいて、円筒状表示要素は、その変動のない開始位置に示される。
【００５０】
コンテナハウジング３を機構のハウジング１と接続するとき、図４ａに示すように、ランナー１１の歯が、ブロッケード２５の溝と係合され、このように回転しないようにされたランナー１１が、それが、ねじ状ピストンロッド１０のいかなる回転動作もブロックできるようにする。一方、図４ｂに示すように、コンテナハウジング３の接続を断つとき、ランナー１１の歯は、ブロッケード溝と接触しないようになり、その影響で、新たな薬コンテナを挿入する前にねじ状ピストンロッド１０を開始位置にまで押圧するときに、ランナー１１は、その回転動作を実施できる。
【００５１】
設定された薬の投与量を注入する前に、ナット８は、図５ａに示すように、スプリング２３を用いてそれに押圧されたトリガ１９によって固定される。
【００５２】
設定された投与量が注入される段階は図５ｂに示され、一方、図６において、ベアリング９によって軸方向及び半径方向にセットされる複数の要素の形状が示される。トリガ１９の軸方向のスライド移動によって、及び、スプリング２３の押圧力に打ち勝つことによって、ナット８は、内側に歯を有するブロッキングリング１９ａとの係合からリリースされる。トリガ１９がこの位置にあるとき、スプリング手段１７にたまったエネルギーによって回転されるナット８は、ねじ状ピストンロッド１０を押し出し、この効果で、前にセットされた薬の投与量が、不図示の交換可能な薬コンテナから押し出される。
【００５３】
セットされた薬の投与量が注入されている間において、トリガ１９のスライド後、スプリング手段１７にたまったエネルギーが、連続的に、接続スリーブ１２、リセットクラッチ１３、接続突起６ａ、弾力性のあるアングルアーム６ｂ、及びラチェット歯車７によって、ナット８内に移動される。スプリング手段１７にたまったエネルギーはまた、リリースされたとき、円筒状表示要素１６を複雑な方法で移動させ、設定された薬の投与量を注入した後のこの要素が、円筒状表示要素１６上に明確なゼロ表示によってマーク付けされたその最初の位置にもどる。図７ａに示すように、所定の薬投与量をセットする間、及びそれを注入するときの両方において、軸方向にスライドするリセットクラッチ１３は、リセットスプリング１８の押圧力によって、接続スリーブ１２をラチェット６と連結させる。
【００５４】
図７ｂにおいて、リセットクラッチ１３をリリースする動作が示される。投与量をセッとするときの方向と反対の方向に約９０度の角度だけクラッチスリーブ５を回転させる。この回転方向は、弧状の矢印でマーク付けされている。クラッチスリーブ５は、一方の側に複数突起の端部を有し、この端部は、投与量調節要素４を形成するノブに接続されるように設計され、その他方の側にはそれは、ラチェット６に対応して形成された軸カム２０と接触する軸カム２１を有する。これらの軸カムを一方を他方に対して回転させる間、クラッチスリーブ５が、投与量調節方向の反対の方向に回転させられる場合は、これらの軸カム２０、２１は、軸方向で互いに反発しあい、ラチェット６からそれの接続を断つまで、リセットクラッチ１３のスライド動作を引き起こす。クラッチスリーブ５、軸カム２１及びリセットクラッチ１３のスライド方向は、クラッチスリーブ５の軸上に配置された矢印によってマーク付けされる。リセットクラッチ１３の動作の効果で、クラッチスリーブ５上に配置されたリセットスプリング１８は、接続スリーブ１２とリセットクラッチ１３の内側リング１３ａとの間で押圧される。
【００５５】
軸カム２０、２１は、図の実施形態に示すように、４つに分割されて形成され、これによって、お互いに対してのそれらの回転中の最大上昇距離は、９０度の角度で得られる。この場合、注入装置は、ユーザの利便性のために、軸カム２０、２１がより大きな角度の値で互いに対して動けないようにする任意のリミッタを備える。このリミッタの機能は、例えば、図２に示すように、クラッチスリーブ５と投与量調節要素４の間の軸方向あそびｘの適切な選択によって実現される。図示しない、１つのセグメントの部品として形成された軸カム２０、２１を用いる場合は、投与量の設定の際に用いられる方向とは反対方向の投与量調節要素４の回転は、３６０度より小さい角度に限定されるべきである。
【００５６】
スライドベアリング９は、このベアリングがハウジング１に固定されることに用いられる、長手方向の突起９ｂとリング突起９ｃを有する。しかし、スライドベアリング９の支持表面９ａにまで押圧されるラチェット歯車７の安定化動作は、リセットスプリング１８によって引き起こされる。リセットスプリング１８が、リセット操作中に軸カム２０、２１を動かすことで圧縮される場合、支持表面９ａにまでラチェット歯車７を押圧する力が増加し、これが、ナット８とピストンロッドへ、この操作中に生じる振動が伝わることを追加的に防止する。
【００５７】
スライドベアリング９を含まない図７ａと図７ｂに示された要素の形状は、２つの異なる角度位置の分解斜視図で図８ａと図８ｂに示される。有利な実施形態において、リセットクラッチ１３は、図８ａと図８ｂに示すように、一方側から軸カム２１と前部で接触し、他方側からリセットスプリング１８と前部で接触する内側リング１３ａを有するスプラインホイールとして形成される。
【００５８】
図９ａと図９ｂに示すように、接続スリーブ１２は、駆動バレル１４及びトーションバネとして形成されたスプリング手段１７の一端と接続され、ハウジング１に固定されるように設計されたブロッキングスリーブ２２までのその第２端と接続される。接続スリーブ１２が投与量セット中に回転されるとき、駆動バレル１４は回転され、スプリング手段１７はそれにエネルギーがたまるようにねじられる。プリングナット１５は、駆動バレル１４のネジ山と共同で動作し、プリングナット１５は、ハウジング１内側の長手方向溝に長手方向の突起によってセットされる。プリングナット１５は、投与量のセット中に機構のハウジング１に沿ってスライドし、それは、それ自身で、駆動バレル１４とともに回転すること及びプリングナット１５とともにスライドすることで、ハウジング１に対してスクリューラインに沿って移動する円筒状表示要素１６を引き上げる。しかし、設定された投与量をリセットするとき、駆動バレル１４と共同で動作するプリングナット１５は、円筒状表示要素１６をその開始位置まで押しのける。
【００５９】
本発明の注入装置の全ての部品の形状は、図１０により示されている。
【００６０】
発明の装置は、セットされた投与量をリセットするとき、スプリング手段１７にたまったエネルギーを用いて、トリガ１９のいかなるスライド移動もなく、軸上のねじ状ピストンロッド１０のスライド移動の開始もなく、結果的に、設定された薬の投与量を注入することなく、円筒状表示要素１６をそのゼロ位置、すなわちその変動しない最初の位置まで自動戻りさせることができる。リセットクラッチ１３のリリースによって、スプリング手段１７と円筒状表示要素１６を駆動する駆動バレル１４とに接続された接続スリーブ１２の回転動作をリリースするので、この効果が達成される。
【００６１】
発明の注入装置においてセットされた投与量をリセットする機構は、投与量調節方向とは反対の方向へ投与量調節要素４を回転させることによって開始される。反時計回りに約９０度の角度で投与量調節要素４を回転させると、クラッチスリーブ５を投与量調節要素４の方向へスライドさせ、成形されたリセットクラッチ１３の軸方向の動きを引き起こす。この動きは、接続スリーブ１２からのラチェット６の接続を断つ。投与量調節要素４を回転させるとき、それは、軸カム２０、２１が互いに押し戻し、リセットスプリング１８の押圧力が克服されることを引き起こしている。そのような接続を断つ結果として、トリガ１９によって動きがブロックされるため、ねじ状ピストンロッド１０は動かず、しかし、駆動バレル１４によって及びプリングナット１５によって駆動される円筒状表示要素１６はその最初の位置にまで移動され、スプリング手段１７はその最初の予圧にまでリリースされる。
【００６２】
図の全ての形状において、トーションバネがスプリング手段１７として示され、しかし、発明はスプリング要素のその形状に限定されない。発明の解決策において、特に、スパイラルスプリング、ヘリカルスプリング、エラストマースプリングのような、変形によってエネルギーをためる全ての種類の手段が用いられてよい。
【図１】
2015506779.tif 000003
【図２】
2015506779.tif 000004
【図３ａ】
2015506779.tif 000005
【図３ｂ】
2015506779.tif 000006
【図３ｃ】
2015506779.tif 000007
【図３ｄ】
2015506779.tif 000008
【図３ｅ】
2015506779.tif 000009
【図４ａ】
2015506779.tif 000010
【図４ｂ】
2015506779.tif 000011
【図５ａ】
2015506779.tif 000012
【図５ｂ】
2015506779.tif 000013
【図６】
2015506779.tif 000014
【図７ａ】
2015506779.tif 000015
【図７ｂ】
2015506779.tif 000016
【図８ａ】
2015506779.tif 000017
【図８ｂ】
2015506779.tif 000018
【図９ａ】
2015506779.tif 000019
【図９ｂ】
2015506779.tif 000020
【図１０】
2015506779.tif 000021
【国際調査報告】
2015506779.tif 000022
2015506779.tif 000023
2015506779.tif 000024